(57)【要約】【課題】ユーザが表示装置にコンテンツデータを表示させる場合に、コンテンツデータに合わせて表示装置の表示パラメータの設定値を調整する手間を軽減する。【解決手段】サーバに、過去に画像データを表示した表示装置の仕様情報と表示パラメータの設定値の情報とを対応づけた表示設定値情報を蓄積する。表示装置の複数の表示パラメータを複数のグループに分け、グループ毎に定められる判定基準に従って、蓄積している各表示設定値情報に対応する表示装置の仕様とターゲットの表示装置の仕様とを比較し、グループ毎に、そのグループの判定基準でターゲットの表示装置と仕様が類似していると類似表示装置を判定する。グループ毎に、類似表示装置に対応づけられた表示設定値情報からそのグループに属する表示パラメータの設定値を抽出し、組み合わせることにより、ターゲットの表示装置の表示パラメータの設定値を決定する際に参照する参照用設定値を生成する。【選択図】図１
2012220671.tif 000002
【特許請求の範囲】
【請求項１】
一又は複数の表示装置とサーバとが相互に通信可能に接続されて構成される表示システムであって、
表示装置は、
入力する画像データに基づく画像を表示する表示手段と、
前記表示手段の複数の表示パラメータの設定値を決定する決定手段と、
入力する画像データの識別情報と、自表示装置の識別情報と、自表示装置の仕様の情報と、をサーバへ送信するとともに、前記決定手段が各表示パラメータの設定値を決定する際に参照するための、入力する画像データに応じた各表示パラメータの参照用設定値をサーバに要求する参照値要求手段と、
入力する画像データに応じた参照用設定値をサーバから取得する参照値取得手段と、
を有し、
サーバは、
画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を記憶する記憶手段と、
参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得手段と、
前記複数の表示パラメータを複数のグループに分け、グループ毎に定められる判定基準に従って、前記記憶手段に記憶されている各表示設定値情報に対応づけられた表示装置の仕様とターゲット表示装置の仕様とを比較し、グループ毎に、そのグループの判定基準でターゲット表示装置と仕様が類似している類似表示装置を判定する判定手段と、
前記複数のグループの各々について、そのグループに対応する前記判定手段により判定された類似表示装置の識別情報と、ターゲット表示装置に入力した画像データの識別情報と、に対応づけられた表示設定値情報を前記記憶手段から読み出し、読み出した表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する生成手段と、
前記生成手段により生成された参照用設定値をターゲット表示装置へ送信する参照値送信手段と、
を有する表示システム。
【請求項２】
表示装置において、
前記決定手段は、前記参照値取得手段が取得した参照用設定値を前記表示手段の表示パラメータの設定値とする請求項１に記載の表示システム。
【請求項３】
サーバにおいて、
前記生成手段は、前記記憶手段に記憶されている表示設定値情報のうちに、画像データの識別情報がターゲット表示装置に入力した画像データの識別情報と一致し、かつ、表示装置の識別情報がターゲット表示装置の識別情報と一致する表示設定値情報が存在する場合、当該表示設定値情報における前記複数の表示パラメータの設定値を参照用設定値とする請求項１又は２に記載の表示システム。
【請求項４】
サーバにおいて、
前記生成手段は、前記記憶手段に記憶されている表示設定値情報のうちに、画像データの識別情報がターゲット表示装置に入力した画像データの識別情報と一致し、かつ、表示装置の仕様の情報のうちの型番がターゲット表示装置の仕様の情報のうちの型番と一致す
る表示設定値情報が存在する場合、当該表示設定値情報における前記複数の表示パラメータの設定値を参照用設定値とする請求項１〜３のいずれか１項に記載の表示システム。
【請求項５】
一又は複数の表示装置とサーバとが相互に通信可能に接続されて構成される表示システムであって、
表示装置は、
入力する画像データに基づく画像を表示する表示手段と、
前記表示手段の複数の表示パラメータの設定値を決定する決定手段と、
入力する画像データの識別情報と、自表示装置の識別情報と、自表示装置の仕様の情報と、をサーバへ送信するとともに、前記決定手段が各表示パラメータの設定値を決定する際に参照するための、入力する画像データに応じた各表示パラメータの参照用設定値を含む参照用設定値情報をサーバに要求する参照値要求手段と、
入力する画像データに応じた参照用設定値情報をサーバから取得する参照値取得手段と、
を有し、
サーバは、
画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を記憶する記憶手段と、
参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得手段と、
前記複数の表示パラメータを複数のグループに分け、グループ毎に定められる判定基準に従って、前記記憶手段に記憶されている各表示設定値情報に対応づけられた表示装置の仕様とターゲット表示装置の仕様とを比較し、グループ毎に、そのグループの判定基準でターゲット表示装置と仕様が類似している類似表示装置を判定する判定手段と、
前記複数のグループの少なくともいずれかについて、そのグループに対応する前記判定手段により判定された類似表示装置の識別情報と、ターゲット表示装置に入力した画像データの識別情報と、に対応づけられた表示設定値情報を前記記憶手段から読み出し、読み出した表示設定値情報から、前記複数の表示パラメータ全ての設定値を抽出し、当該複数の表示パラメータの参照用設定値とするとともに、全てのグループの参照用設定値を含む参照用設定値情報を生成する生成手段と、
前記生成手段により生成された参照用設定値情報をターゲット表示装置へ送信する参照値送信手段と、
を有する表示システム。
【請求項６】
表示装置は、
入力する画像データに応じて、前記参照値取得手段が取得した参照用設定値情報に含まれる参照用設定値のうちいずれか１つの参照用設定値を選択する選択手段を有し、
前記決定手段は、前記選択手段が選択した参照用設定値を前記表示手段の表示パラメータの設定値とする請求項５に記載の表示システム。
【請求項７】
表示装置において、
前記選択手段は、入力する画像データが動画像データか静止画像データかに応じて、参照用設定値情報からどの参照用設定値を選択するかを決定する請求項６に記載の表示システム。
【請求項８】
表示装置は、
入力する画像データの識別情報と、自表示装置の識別情報と、前記決定手段により決定された前記表示手段の複数の表示パラメータの設定値の情報と、を表示設定値情報として
サーバへ送信する表示設定値情報送信手段を有し、
サーバは、
表示装置から表示設定値情報を取得する取得手段と、
前記取得手段により取得した表示設定値情報を前記記憶手段に追加して記憶させるか、又は、前記取得手段により取得した表示設定値情報によって前記記憶手段に記憶されている表示設定値情報を更新する更新手段と、
を有する請求項１〜７のいずれか１項に記載の表示システム。
【請求項９】
一又は複数の表示装置とサーバとが相互に通信可能に接続されて構成される表示システムであって、
サーバは、
画像データに、過去に当該画像データを表示した表示装置の識別情報と、当該表示装置の仕様の情報と、過去に当該画像データを当該表示装置で表示した際の当該表示装置の複数の表示パラメータの設定値の情報と、を対応づけた表示設定値情報を付加して記憶する記憶手段と、
記憶手段に記憶された画像データを表示装置へ送信する送信手段と、
を有し、
表示装置は、
入力する画像データに基づく画像を表示する表示手段と、
前記表示手段の複数の表示パラメータの設定値を決定する決定手段と、
前記決定手段が各表示パラメータの設定値を決定する際に参照するための、入力する画像データに応じた各表示パラメータの参照用設定値を生成する生成手段と、
入力する画像データに付加されている表示設定値情報を抽出する抽出手段と、
前記複数の表示パラメータを複数のグループに分け、グループ毎に定められる判定基準に従って、前記抽出手段により抽出された各表示設定値情報に対応づけられた表示装置の仕様と自表示装置の仕様とを比較し、グループ毎に、そのグループの判定基準で自表示装置と仕様が類似している類似表示装置を判定する判定手段と、
を有し、
前記生成手段は、前記複数のグループの各々について、そのグループに対応する前記判定手段により判定された類似表示装置の識別情報に対応づけられた表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する表示システム。
【請求項１０】
表示装置において、
前記決定手段は、前記生成手段が生成した参照用設定値を前記表示手段の表示パラメータの設定値とする請求項９に記載の表示システム。
【請求項１１】
表示装置において、
前記生成手段は、画像データに付加されている表示設定値情報のうちに、表示装置の識別情報が自表示装置の識別情報と一致する表示設定値情報が存在する場合、当該表示設定値情報における前記複数の表示パラメータの設定値を参照用設定値とする請求項９又は１０に記載の表示システム。
【請求項１２】
表示装置において、
前記生成手段は、画像データに付加されている表示設定値情報のうちに、表示装置の仕様の情報のうちの型番が自表示装置の仕様の情報のうちの型番と一致する表示設定値情報が存在する場合、当該表示設定値情報における前記複数の表示パラメータの設定値を参照用設定値とする請求項９〜１１のいずれか１項に記載の表示システム。
【請求項１３】
表示装置は、
画像データの識別情報と、自表示装置の識別情報と、前記決定手段により決定された前記表示手段の複数の表示パラメータの設定値の情報と、を表示設定値情報としてサーバへ送信する表示設定値情報送信手段を有し、
サーバは、
表示装置から表示設定値情報を取得する取得手段と、
前記取得手段により取得した表示設定値情報に含まれる表示装置の識別情報及び表示パラメータの設定値の情報を、当該表示設定値情報に含まれる識別情報により特定される画像データに追加して付加するか、又は、前記取得手段により取得した表示設定値情報に含まれる表示パラメータの設定値の情報によって、当該表示設定値情報に含まれる識別情報により特定される画像データに付加されている表示設定値情報を更新する更新手段と、
を有する請求項９〜１２のいずれか１項に記載に記載の表示システム。
【請求項１４】
表示装置は、
前記決定手段が決定した表示パラメータの設定値をユーザによる指示に応じて変更する変更手段を有し、
前記表示設定値情報送信手段は、変更手段により表示パラメータの設定値が変更された場合に、変更後の表示パラメータの設定値の情報を含む表示設定値情報をサーバへ送信する請求項８又は１３に記載の表示システム。
【請求項１５】
入力する画像データに基づく画像を表示する表示手段を有する一又は複数の表示装置とサーバとが相互に通信可能に接続されて構成される表示システムの制御方法であって、
表示装置が、前記表示手段の複数の表示パラメータの設定値を決定する決定ステップと、
表示装置が、入力する画像データの識別情報と、自表示装置の識別情報と、自表示装置の仕様の情報と、をサーバへ送信するとともに、表示装置が、前記決定ステップが各表示パラメータの設定値を決定する際に参照するための、入力する画像データに応じた各表示パラメータの参照用設定値をサーバに要求する参照値要求ステップと、
表示装置が、入力する画像データに応じた参照用設定値をサーバから取得する参照値取得ステップと、
サーバが、画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を読み込むステップと、
サーバが、参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得ステップと、
サーバが、前記複数の表示パラメータを複数のグループに分け、グループ毎に定められる判定基準に従って、前記読み込んだ各表示設定値情報に対応づけられた表示装置の仕様とターゲット表示装置の仕様とを比較し、グループ毎に、そのグループの判定基準でターゲット表示装置と仕様が類似している類似表示装置を判定する判定ステップと、
サーバが、前記複数のグループの各々について、そのグループに対応する前記判定ステップにより判定された類似表示装置の識別情報と、ターゲット表示装置に入力した画像データの識別情報と、に対応づけられた表示設定値情報を読み出し、読み出した表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する生成ステップと、
サーバが、前記生成ステップにより生成された参照用設定値をターゲット表示装置へ送信する参照値送信ステップと、
を有する表示システムの制御方法。
【請求項１６】
入力する画像データに基づく画像を表示する表示手段を有する一又は複数の表示装置とサーバとが相互に通信可能に接続されて構成される表示システムの制御方法であって、
表示装置が、前記表示手段の複数の表示パラメータの設定値を決定する決定ステップと、
表示装置が、入力する画像データの識別情報と、自表示装置の識別情報と、自表示装置の仕様の情報と、をサーバへ送信するとともに、表示装置が、前記決定ステップが各表示パラメータの設定値を決定する際に参照するための、入力する画像データに応じた各表示パラメータの参照用設定値を含む参照用設定値情報をサーバに要求する参照値要求ステップと、
表示装置が、入力する画像データに応じた参照用設定値情報をサーバから取得する参照値取得ステップと、
サーバが、画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を読み込むステップと、
サーバが、参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得ステップと、
サーバが、前記複数の表示パラメータを複数のグループに分け、グループ毎に定められる判定基準に従って、前記読み込んだ各表示設定値情報に対応づけられた表示装置の仕様とターゲット表示装置の仕様とを比較し、グループ毎に、そのグループの判定基準でターゲット表示装置と仕様が類似している類似表示装置を判定する判定ステップと、
サーバが、前記複数のグループの少なくともいずれかについて、そのグループに対応する前記判定ステップにより判定された類似表示装置の識別情報と、ターゲット表示装置に入力した画像データの識別情報と、に対応づけられた表示設定値情報を読み出し、読み出した表示設定値情報から、前記複数の表示パラメータ全ての設定値を抽出し、当該複数の表示パラメータの参照用設定値とするとともに、全てのグループの参照用設定値を含む参照用設定値情報を生成する生成ステップと、
サーバが、前記生成ステップにより生成された参照用設定値情報をターゲット表示装置へ送信する参照値送信ステップと、
を有する表示システムの制御方法。
【請求項１７】
入力する画像データに基づく画像を表示する表示手段を有する一又は複数の表示装置とサーバとが相互に通信可能に接続されて構成される表示システムの制御方法であって、
サーバが、画像データに、過去に当該画像データを表示した表示装置の識別情報と、当該表示装置の仕様の情報と、過去に当該画像データを当該表示装置で表示した際の当該表示装置の複数の表示パラメータの設定値の情報と、を対応づけた表示設定値情報を付加するステップと、
サーバが、前記画像データを表示装置へ送信する送信ステップと、
表示装置が、前記表示手段の複数の表示パラメータの設定値を決定する決定ステップと、
表示装置が、前記決定ステップが各表示パラメータの設定値を決定する際に参照するための、入力する画像データに応じた各表示パラメータの参照用設定値を生成する生成ステップと、
表示装置が、入力する画像データに付加されている表示設定値情報を抽出する抽出ステ
ップと、
表示装置が、前記複数の表示パラメータを複数のグループに分け、グループ毎に定められる判定基準に従って、前記抽出ステップにより抽出された各表示設定値情報に対応づけられた表示装置の仕様と自表示装置の仕様とを比較し、グループ毎に、そのグループの判定基準で自表示装置と仕様が類似している類似表示装置を判定する判定ステップと、
を有し、
前記生成ステップは、前記複数のグループの各々について、そのグループに対応する前記判定ステップにより判定された類似表示装置の識別情報に対応づけられた表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する表示システムの制御方法。
【発明の詳細な説明】
【技術分野】
【０００１】
本発明は、表示システム及びその制御方法に関する。
【背景技術】
【０００２】
近年の映像を入力し表示する表示装置（以下ディスプレイと表記する）の高精細化・大サイズ化に伴い、ディスプレイの応用分野が拡大している。例えば、従来は専用紙への印刷により行っていた写真展を、印刷ではなくディスプレイを用いて行うようなデジタル写真展、実物の絵画ではなく、絵画を撮影した結果をディスプレイ表示するデジタル美術館等である。この場合、コンテンツ制作者は、自身のディスプレイで表示のされ方が意図した通りになるようにコンテンツデータを調整し、そのコンテンツデータを展示会場のディスプレイ（ターゲットディスプレイ）に入力して表示させることが想定される。
【０００３】
ここで、コンテンツ制作者がコンテンツデータの調整に使用したディスプレイと、ターゲットディスプレイが同一である可能性は低く、表示装置の仕様や表示設定値、画像処理の仕様が異なることが大半である。従って、ターゲットディスプレイにコンテンツデータを入力しても、意図した通りに表示されるとは限らない。
【０００４】
これに対し、ターゲットディスプレイでコンテンツが意図した通りに表示されるように、コンテンツ制作者がターゲットディスプレイの仕様等に合わせてコンテンツデータを再度調整することが考えられる。ターゲットディスプレイの仕様には、解像度、色域、階調（ビット深度）、フレームレート等がある。しかしながら、コンテンツ制作者の制作環境（ＰＣなど）をターゲットディスプレイに接続できない、ターゲットディスプレイを適切にドライブできない、といった場合があり得る。
【０００５】
また、ターゲットディスプレイでコンテンツが意図した通りに表示されるように、コンテンツ制作者がターゲットディスプレイの表示設定値を調整することが考えられる。表示設定値には、輝度、色温度、ガンマ、エンハンサ、記憶色補正、フレームレート変換、黒挿入、ダイナミックガンマ等がある。エンハンサは、表示画像の先鋭度を調整する。記憶色補正は、表示色を人間の記憶色をもとに補正する。フレームレート変換は、動画のフレームレートを変換する。黒挿入は、表示フレームの間に黒を挿入することで動画応答性を向上させる。ダイナミックガンマは、表示画像の統計値に基づいてガンマ値を補正する。
【０００６】
特許文献１には、プリンタのような出力装置において、コンテンツを印刷する際に指定した印刷設定値をコンテンツ毎に保持し、別の文書印刷時に参照、流用することが記載されている。特許文献１では、コンテンツと印刷設定値を対応付けて保持し、当該コンテンツが入力された場合に当該印刷設定値を読み出し、設定する。
【０００７】
特許文献２には、ネットワークに接続された、主にプリンタのような画像処理装置、複数の他の画像表示装置、及びサーバからなるシステムにおいて、画像処理装置はデバイス情報をサーバに送信することが記載されている。特許文献２では、サーバはデバイス情報に基づいて画像処理装置に送信する共通配信値の配信元となる他の画像表示装置を決定する。画像処理装置は、決定された他の画像表示装置の共通配信値をサーバから取得し、共通の設定値として設定する。また、複数の他の画像表示装置の固有配信値をサーバから取得し、参照値として設定画面に表示する。
【先行技術文献】
【特許文献】
【０００８】
【特許文献１】特開平１０−３２６１６７号公報
【特許文献２】特開２０１０−１６１４６７号公報
【発明の概要】
【発明が解決しようとする課題】
【０００９】
特許文献１の技術では、コンテンツを初めてターゲットディスプレイに表示させる際に必要となるターゲットディスプレイの表示設定値の調整作業を簡略化することはできない。
【００１０】
ディスプレイの表示設定値は、表示するコンテンツが動画像か静止画像かによって異なることが考えられる。特許文献２の技術では、ターゲットディスプレイに動画像コンテンツを表示させる場合に、類似するディスプレイで静止画像コンテンツを表示させた際の表示設定値を取得して設定してしまうことが考えられる。また、何を以てターゲットディスプレイと仕様が類似しているかを判断するかは、動画像コンテンツを表示する場合と静止画像コンテンツを表示する場合とで異なると考えられる。特許文献２の技術では、ターゲットディスプレイに表示させるコンテンツが動画像か静止画像かに応じて適切な類似ディスプレイを選定することができない。そのため、結局、ターゲットディスプレイで表示設定値を再調整することが必要になり、ターゲットディスプレイの表示設定値の調整作業を簡略化することはできない可能性がある。
【００１１】
そこで本発明は、ユーザが表示装置にコンテンツデータを表示させる場合に、コンテンツデータに合わせて表示装置の表示パラメータの設定値を調整する手間を軽減することができる技術を提供することを目的とする。
【課題を解決するための手段】
【００１２】
本発明は、一又は複数の表示装置とサーバとが相互に通信可能に接続されて構成される表示システムであって、
表示装置は、
入力する画像データに基づく画像を表示する表示手段と、
前記表示手段の複数の表示パラメータの設定値を決定する決定手段と、
入力する画像データの識別情報と、自表示装置の識別情報と、自表示装置の仕様の情報と、をサーバへ送信するとともに、前記決定手段が各表示パラメータの設定値を決定する際に参照するための、入力する画像データに応じた各表示パラメータの参照用設定値をサーバに要求する参照値要求手段と、
入力する画像データに応じた参照用設定値をサーバから取得する参照値取得手段と、
を有し、
サーバは、
画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を記憶する記憶手段と、
参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得手段と、
前記複数の表示パラメータを複数のグループに分け、グループ毎に定められる判定基準に従って、前記記憶手段に記憶されている各表示設定値情報に対応づけられた表示装置の仕様とターゲット表示装置の仕様とを比較し、グループ毎に、そのグループの判定基準でターゲット表示装置と仕様が類似している類似表示装置を判定する判定手段と、
前記複数のグループの各々について、そのグループに対応する前記判定手段により判定された類似表示装置の識別情報と、ターゲット表示装置に入力した画像データの識別情報と、に対応づけられた表示設定値情報を前記記憶手段から読み出し、読み出した表示設定
値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する生成手段と、
前記生成手段により生成された参照用設定値をターゲット表示装置へ送信する参照値送信手段と、
を有する表示システムである。
【００１３】
本発明は、一又は複数の表示装置とサーバとが相互に通信可能に接続されて構成される表示システムであって、
表示装置は、
入力する画像データに基づく画像を表示する表示手段と、
前記表示手段の複数の表示パラメータの設定値を決定する決定手段と、
入力する画像データの識別情報と、自表示装置の識別情報と、自表示装置の仕様の情報と、をサーバへ送信するとともに、前記決定手段が各表示パラメータの設定値を決定する際に参照するための、入力する画像データに応じた各表示パラメータの参照用設定値を含む参照用設定値情報をサーバに要求する参照値要求手段と、
入力する画像データに応じた参照用設定値情報をサーバから取得する参照値取得手段と、
を有し、
サーバは、
画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を記憶する記憶手段と、
参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得手段と、
前記複数の表示パラメータを複数のグループに分け、グループ毎に定められる判定基準に従って、前記記憶手段に記憶されている各表示設定値情報に対応づけられた表示装置の仕様とターゲット表示装置の仕様とを比較し、グループ毎に、そのグループの判定基準でターゲット表示装置と仕様が類似している類似表示装置を判定する判定手段と、
前記複数のグループの少なくともいずれかについて、そのグループに対応する前記判定手段により判定された類似表示装置の識別情報と、ターゲット表示装置に入力した画像データの識別情報と、に対応づけられた表示設定値情報を前記記憶手段から読み出し、読み出した表示設定値情報から、前記複数の表示パラメータ全ての設定値を抽出し、当該複数の表示パラメータの参照用設定値とするとともに、全てのグループの参照用設定値を含む参照用設定値情報を生成する生成手段と、
前記生成手段により生成された参照用設定値情報をターゲット表示装置へ送信する参照値送信手段と、
を有する表示システムである。
【００１４】
本発明は、一又は複数の表示装置とサーバとが相互に通信可能に接続されて構成される表示システムであって、
サーバは、
画像データに、過去に当該画像データを表示した表示装置の識別情報と、当該表示装置の仕様の情報と、過去に当該画像データを当該表示装置で表示した際の当該表示装置の複数の表示パラメータの設定値の情報と、を対応づけた表示設定値情報を付加して記憶する記憶手段と、
記憶手段に記憶された画像データを表示装置へ送信する送信手段と、
を有し、
表示装置は、
入力する画像データに基づく画像を表示する表示手段と、
前記表示手段の複数の表示パラメータの設定値を決定する決定手段と、
前記決定手段が各表示パラメータの設定値を決定する際に参照するための、入力する画像データに応じた各表示パラメータの参照用設定値を生成する生成手段と、
入力する画像データに付加されている表示設定値情報を抽出する抽出手段と、
前記複数の表示パラメータを複数のグループに分け、グループ毎に定められる判定基準に従って、前記抽出手段により抽出された各表示設定値情報に対応づけられた表示装置の仕様と自表示装置の仕様とを比較し、グループ毎に、そのグループの判定基準で自表示装置と仕様が類似している類似表示装置を判定する判定手段と、
を有し、
前記生成手段は、前記複数のグループの各々について、そのグループに対応する前記判定手段により判定された類似表示装置の識別情報に対応づけられた表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する表示システムである。
【００１５】
本発明は、入力する画像データに基づく画像を表示する表示手段を有する一又は複数の表示装置とサーバとが相互に通信可能に接続されて構成される表示システムの制御方法であって、
表示装置が、前記表示手段の複数の表示パラメータの設定値を決定する決定ステップと、
表示装置が、入力する画像データの識別情報と、自表示装置の識別情報と、自表示装置の仕様の情報と、をサーバへ送信するとともに、表示装置が、前記決定ステップが各表示パラメータの設定値を決定する際に参照するための、入力する画像データに応じた各表示パラメータの参照用設定値をサーバに要求する参照値要求ステップと、
表示装置が、入力する画像データに応じた参照用設定値をサーバから取得する参照値取得ステップと、
サーバが、画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を読み込むステップと、
サーバが、参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得ステップと、
サーバが、前記複数の表示パラメータを複数のグループに分け、グループ毎に定められる判定基準に従って、前記読み込んだ各表示設定値情報に対応づけられた表示装置の仕様とターゲット表示装置の仕様とを比較し、グループ毎に、そのグループの判定基準でターゲット表示装置と仕様が類似している類似表示装置を判定する判定ステップと、
サーバが、前記複数のグループの各々について、そのグループに対応する前記判定ステップにより判定された類似表示装置の識別情報と、ターゲット表示装置に入力した画像データの識別情報と、に対応づけられた表示設定値情報を読み出し、読み出した表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する生成ステップと、
サーバが、前記生成ステップにより生成された参照用設定値をターゲット表示装置へ送信する参照値送信ステップと、
を有する表示システムの制御方法である。
【００１６】
本発明は、入力する画像データに基づく画像を表示する表示手段を有する一又は複数の表示装置とサーバとが相互に通信可能に接続されて構成される表示システムの制御方法であって、
表示装置が、前記表示手段の複数の表示パラメータの設定値を決定する決定ステップと、
表示装置が、入力する画像データの識別情報と、自表示装置の識別情報と、自表示装置の仕様の情報と、をサーバへ送信するとともに、表示装置が、前記決定ステップが各表示パラメータの設定値を決定する際に参照するための、入力する画像データに応じた各表示パラメータの参照用設定値を含む参照用設定値情報をサーバに要求する参照値要求ステップと、
表示装置が、入力する画像データに応じた参照用設定値情報をサーバから取得する参照値取得ステップと、
サーバが、画像データの識別情報と、過去に当該画像データを表示した表示装置の識別情報と、当該表示装置の仕様の情報と、過去に当該画像データを当該表示装置で表示した際の各表示パラメータの設定値の情報と、を対応づけた表示設定値情報を読み込むステップと、
サーバが、参照用設定値を要求した表示装置であるターゲット表示装置から、当該ターゲット表示装置に入力した画像データの識別情報と、当該ターゲット表示装置の識別情報と、当該ターゲット表示装置の仕様の情報と、を取得するターゲット情報取得ステップと、
サーバが、前記複数の表示パラメータを複数のグループに分け、グループ毎に定められる判定基準に従って、前記読み込んだ各表示設定値情報に対応づけられた表示装置の仕様とターゲット表示装置の仕様とを比較し、グループ毎に、そのグループの判定基準でターゲット表示装置と仕様が類似している類似表示装置を判定する判定ステップと、
サーバが、前記複数のグループの少なくともいずれかについて、そのグループに対応する前記判定ステップにより判定された類似表示装置の識別情報と、ターゲット表示装置に入力した画像データの識別情報と、に対応づけられた表示設定値情報を読み出し、読み出した表示設定値情報から、前記複数の表示パラメータ全ての設定値を抽出し、当該複数の表示パラメータの参照用設定値とするとともに、全てのグループの参照用設定値を含む参照用設定値情報を生成する生成ステップと、
サーバが、前記生成ステップにより生成された参照用設定値情報をターゲット表示装置へ送信する参照値送信ステップと、
を有する表示システムの制御方法である。
【００１７】
本発明は、入力する画像データに基づく画像を表示する表示手段を有する一又は複数の表示装置とサーバとが相互に通信可能に接続されて構成される表示システムの制御方法であって、
サーバが、画像データに、過去に当該画像データを表示した表示装置の識別情報と、当該表示装置の仕様の情報と、過去に当該画像データを当該表示装置で表示した際の当該表示装置の複数の表示パラメータの設定値の情報と、を対応づけた表示設定値情報を付加するステップと、
サーバが、前記画像データを表示装置へ送信する送信ステップと、
表示装置が、前記表示手段の複数の表示パラメータの設定値を決定する決定ステップと、
表示装置が、前記決定ステップが各表示パラメータの設定値を決定する際に参照するための、入力する画像データに応じた各表示パラメータの参照用設定値を生成する生成ステップと、
表示装置が、入力する画像データに付加されている表示設定値情報を抽出する抽出ステ
ップと、
表示装置が、前記複数の表示パラメータを複数のグループに分け、グループ毎に定められる判定基準に従って、前記抽出ステップにより抽出された各表示設定値情報に対応づけられた表示装置の仕様と自表示装置の仕様とを比較し、グループ毎に、そのグループの判定基準で自表示装置と仕様が類似している類似表示装置を判定する判定ステップと、
を有し、
前記生成ステップは、前記複数のグループの各々について、そのグループに対応する前記判定ステップにより判定された類似表示装置の識別情報に対応づけられた表示設定値情報から、そのグループに属する表示パラメータの設定値を抽出し、そのグループに属する表示パラメータの参照用設定値とするとともに、各グループに属する表示パラメータの参照用設定値を組み合わせることにより、前記複数の表示パラメータ全ての参照用設定値を生成する表示システムの制御方法である。
【発明の効果】
【００１８】
本発明によれば、ユーザが表示装置にコンテンツデータを表示させる場合に、コンテンツデータに合わせて表示装置の表示パラメータの設定値を調整する手間を軽減することができる。
【図面の簡単な説明】
【００１９】
【図１】実施例１の表示システムの構成を示す図
【図２】表示装置の仕様情報及び表示設定値情報の項目の例
【図３】実施例１の蓄積部に蓄積される表示設定値情報の例
【図４】実施例１の管理部の動作を示すフローチャート
【図５】共通設定、動画関連設定、統計量補正関連設定の項目及び判定基準の例
【図６】参照値送信部の送信する表示設定値情報の例
【図７】実施例２の表示システムの構成を示す図
【図８】参照値送信部の送信する表示設定値情報の例
【図９】実施例３の表示システムの構成を示す図
【図１０】コンテンツデータに多重される表示設定値情報の例
【発明を実施するための形態】
【００２０】
（実施例１）
図１は、本発明の実施例１に係る表示システムの概略構成を示す図である。この表示システムは、複数の表示装置１００及び管理サーバ２００（サーバ）が相互に通信可能に接続されて構成される。表示装置１００と管理サーバ２００とは互いに通信可能に接続される。なお、図１では表示装置１００と管理サーバ２００とを別体構成としたが、管理サーバの機能を有する表示装置（すなわち表示装置と管理サーバとが一体構成）があっても良い。
【００２１】
図１において、表示装置１００は、今回、管理サーバ２００からコンテンツデータ（画像データ）を入力し、表示を行うターゲット表示装置であるとする。表示装置１００は、入力するコンテンツデータの表示に適した表示パラメータの設定値（表示設定値）を決定するために参照する参照用設定値を管理サーバ２００から取得し、それを参照して表示パラメータの設定値を決定し、表示を行う。
【００２２】
管理サーバ２００は、コンテンツデータの管理及び表示装置への送信をおこなう。また、管理サーバ２００は、コンテンツデータ毎、表示装置毎の表示設定値情報の管理を行う。表示設定値情報とは、コンテンツデータを表示装置で表示した際にその表示装置において設定された表示パラメータの設定値の情報である。
【００２３】
表示装置１００のコンテンツ受信部１０１は、管理サーバ２００からコンテンツデータを受信し、コンテンツＩＤ取得部１０２に出力する。
【００２４】
コンテンツＩＤ取得部１０２は、コンテンツ受信部１０１が受信したコンテンツデータからコンテンツＩＤを取得し、参照値要求部１０４に出力するとともに受け取ったコンテンツデータを表示部１０３に出力する。コンテンツＩＤは、コンテンツを一意に特定するための識別情報である（入力する画像データの識別情報）。また、コンテンツＩＤ取得部１０２は、表示設定値情報送信部１０８にも入力したコンテンツデータのコンテンツＩＤを出力する。
【００２５】
表示部１０３は、入力するコンテンツデータ（画像データ）に基づく画像を表示する、例えば液晶ディスプレイである。
【００２６】
参照値要求部１０４は、コンテンツＩＤ取得部１０２が取得したコンテンツＩＤと、ディスプレイＩＤと、表示装置１００の仕様情報（自表示装置の仕様の情報）と、を対応付けて管理サーバ２００に送信する。ディスプレイＩＤは、表示装置１００を一意に特定するための識別情報である（自表示装置の識別情報）。参照値要求部１０４は、設定部１０７が表示部１０３の各表示パラメータの設定値を決定する際に参照するための、入力するコンテンツデータに応じた各表示パラメータの参照用設定値を管理サーバ２００に要求する。参照値要求部１０４から送信される表示装置１００の仕様情報については、詳細を後述する。
【００２７】
参照値取得部１０５は、管理サーバ２００からコンテンツデータに応じた参照用設定値を取得し、設定部１０７に送信する。
【００２８】
調整部１０６は、ユーザが表示部１０３におけるコンテンツの表示を見ながら図示しない操作部を操作することにより、設定部１０７が決定した表示パラメータの設定値をユーザの指示に応じて変更し、調整する。調整部１０６により変更された表示パラメータの設定値の情報は、設定部１０７に送信される。
【００２９】
設定部１０７は、参照値取得部１０５から入力する参照用設定値を参照して表示部１０３の複数の表示パラメータの設定値を決定する。本実施例では、設定部１０７は、参照用設定値を表示パラメータの設定値とする。また、設定部１０７は、ユーザの指示による表示パラメータの設定値の変更指示が調整部１０６から入力された場合、指示に応じて表示パラメータの設定値を変更し、変更後の表示パラメータの設定値を表示部１０３に設定する。また、設定部１０７は、参照値取得部１０５から入力された参照用設定値に基づき決定した表示パラメータの設定値が、ユーザによる調整によって変更された場合に、変更後の表示パラメータの設定値の情報を表示設定値情報送信部１０８に送信する。
【００３０】
表示設定値情報送信部１０８は、入力するコンテンツデータのコンテンツＩＤと、表示装置１００のディスプレイＩＤと、設定部１０７が決定した表示パラメータの設定値の情報と、を表示設定値情報として管理サーバ２００へ送信する。特に、設定部１０７が決定した表示パラメータの設定値がユーザにより変更された場合、変更後の表示パラメータの設定値をディスプレイＩＤ及びコンテンツＩＤに関連付けて、表示設定値情報として管理サーバ２００に送信する。
【００３１】
管理サーバ２００のコンテンツ蓄積部２０１は、コンテンツデータを記憶し、ユーザからの再生（表示）指示に応じて、記憶しているコンテンツデータをコンテンツ送信部２０２に出力する。
【００３２】
コンテンツ送信部２０２は、コンテンツ蓄積部２０１から入力されたコンテンツデータを表示装置１００に出力する。なお、本実施例では、管理サーバ２００から出力されるコンテンツデータにはコンテンツを一意に特定するコンテンツＩＤが付加されているものとする。コンテンツデータに対しコンテンツＩＤを付加する方法は特に限定しない。例えば、映像信号の垂直ブランキング期間に情報を付加する方法、ＨＤＭＩ（High-Definition Multimedia Interface）のVendor Specific InfoFrameに情報を付加する方法等がある。
【００３３】
また、コンテンツ送信部２０２とコンテンツ受信部１０１の間のインタフェースはコンテンツＩＤ情報の送受信が可能であれば特に限定されない。例えば上述したＨＤＭＩのようなデジタルインタフェースが好適だが、表示装置１００にネットワーク送受信部と映像復号部を追加することで、ネットワークインターフェースを採用することも可能である。なお、管理サーバと表示装置との間のデータ送受信をネットワークインターフェースを介して行う構成例については実施例３で説明する。
【００３４】
管理サーバ２００の受信部３０１は、表示装置１００で設定された表示パラメータの設定値の情報を含む表示設定値情報を受信し、ディスプレイＩＤ、コンテンツＩＤと共に蓄積部３０２に出力する。
【００３５】
蓄積部３０２は、コンテンツＩＤと、ディスプレイＩＤと、表示装置の仕様の情報と、各表示パラメータの設定値の情報と、を対応づけた表示設定値情報を記憶する。ディスプレイＩＤは、過去に当該コンテンツＩＤのコンテンツデータを表示した表示装置のディスプレイＩＤである。表示装置の仕様の情報は、当該ディスプレイＩＤの表示装置の仕様の情報である。表示パラメータの設定値は、過去に当該コンテンツデータを当該表示装置で表示した際の各表示パラメータの設定値である。蓄積部３０２は、受信部３０１の受信した表示設定値情報を追加して記憶するか、又は、受信部３０１の受信した表示設定値情報によって既に記憶されている表示設定値情報を更新する。
【００３６】
ターゲット情報取得部３０３は、表示装置１００からのコンテンツＩＤに対応した参照用設定値の要求（参照値要求）を受信し、管理部３０４に送信する。ターゲット情報取得部３０３は、表示装置１００（ターゲット表示装置）から、参照値要求とともに、コンテンツＩＤ、表示装置１００のディスプレイＩＤ、及び表示装置１００の仕様情報を取得する。コンテンツＩＤは、ターゲット表示装置に入力した画像データの識別情報である。ターゲット情報取得部３０３はこれらをあわせて管理部３０４に送信する。
【００３７】
管理部３０４は、ターゲット情報取得部３０３からの参照値要求を、コンテンツＩＤ、ディスプレイＩＤ、及び表示装置１００の仕様情報とともに受け取る。そして、蓄積部３０２から読み出した表示設定値情報から参照用設定値を生成し、参照値送信部３０５に送信する。管理部３０４の動作については詳細を後述する。
【００３８】
参照値送信部３０５は、管理部３０４からの参照用設定値の入力を受け、参照用設定値を表示装置１００へ送信する。
【００３９】
次に、表示装置１００にコンテンツデータを入力した際の動作を図１を用いて説明する。
【００４０】
コンテンツ受信部１０１は、コンテンツデータを受信するとコンテンツＩＤ取得部１０２にコンテンツデータを出力する。コンテンツデータを受け取ったコンテンツＩＤ取得部１０２は、コンテンツデータからコンテンツＩＤを抽出する。コンテンツＩＤの抽出方法については種々の方法を利用できるがここでは説明を省略する。抽出されたコンテンツＩＤは、参照値要求部１０４及び表示設定値情報送信部１０８に送信される。
【００４１】
参照値要求部１０４は、コンテンツＩＤ、表示装置１００のディスプレイＩＤ、及び表示装置１００の仕様情報をターゲット情報取得部３０３に出力する。参照値要求部１０４によってターゲット情報取得部３０３へ送信される表示装置の仕様情報の例を図２（Ａ）に示す。表示装置の仕様情報は、型番４０１，フレームレート４０２，原色数４０３、解像度４０４、ｂｉｔ深度４０５、サイズ４０６、黒挿入４０７、フレームレート変換４０８、パネルタイプ４０９の情報を含む。
【００４２】
型番４０１は、表示装置の製品型番であり、仕様が同一の製品に同一の番号が振られるものである。これは、表示装置の個体識別情報であるディスプレイＩＤとは異なる。フレームレート４０２は、表示装置が表示可能なフレームレートの値である。原色数４０３は、表示装置の表示部の１画素を構成する原色数のことで、一般的な液晶ディスプレイの場合、Ｒ（赤）、Ｇ（緑）、Ｂ（青）の３原色となる。
解像度４０４は、表示装置の表示部の持つ縦方向、横方向の画素の数である。ｂｉｔ深度４０５は、表示装置の表示部の各画素の表示可能な階調数を示す値で、原色ごとに８ｂｉｔあるいは１０ｂｉｔ程度が一般的である。サイズ４０６は、表示装置の表示部のインチ数である。黒挿入４０７は、表示装置が動画応答性向上のための黒挿入機能を持っているかどうかを示す。フレームレート変換４０８は、表示装置がフレームレート変換処理（Frame Rate Conversion、ＦＲＣ）機能を持っているかどうかを示す。パネルタイプ４０
９は、表示装置の表示部がグレアパネルかノングレアパネルかを示す。図２（Ａ）に示す表示装置の仕様情報は一例であり、これら以外の項目の情報を含んでも良いし、これらの項目のうち一部の項目からなる情報であっても良い。
【００４３】
ターゲット情報取得部３０３は、参照値要求部１０４から受信したコンテンツＩＤ、ディスプレイＩＤ、及び表示装置１００の仕様情報を管理部３０４に入力する。管理部３０４は、ターゲット情報取得部３０３から受け取ったコンテンツＩＤに基づき、そのコンテンツＩＤに対応するコンテンツデータを過去に表示したことのある表示装置の表示設定値情報が蓄積部３０２に蓄積されているか確認する。
【００４４】
管理部３０４は、ターゲットの表示装置１００とディスプレイＩＤが同一の表示装置、型番が同一の表示装置、又は仕様が類似している表示装置の表示設定値情報を蓄積部３０２から読み込み、参照用設定値を決定する。参照用設定値は、ターゲットの表示装置１００の各表示パラメータの設定値を決定する際に参照される各表示パラメータの設定値である。
【００４５】
詳細は後述するが、管理部３０４は、ターゲットの表示装置１００との仕様の類似性について、動画像表示に関連する仕様、静止画像表示に関連する仕様、動画像表示と静止画像表示に共に関連する仕様などに分けて判断する。つまり、動画像表示に関連する仕様において類似していると判断できる表示装置と、静止画像表示に関連する仕様において類似していると判断できる表示装置と、を別個に判断する。
【００４６】
そして、動画像表示に関連する仕様において類似していると判断された表示装置の表示設定値情報から、動画像表示に関連する表示パラメータの設定値を抽出し、参照用設定値とする。また、静止画像表示に関連する仕様において類似していると判断された表示装置の表示設定値情報から、静止画像表示に関連する表示パラメータの設定値を抽出し、参照用設定値とする。抽出した参照用設定値を組み合わせて、複数の表示パラメータ全ての参照用設定値を決定する。管理部３０４の詳細な動作は後述する。
【００４７】
管理部３０４の決定した参照用設定値は、参照値送信部３０５が参照値取得部１０５に送信する。参照値送信部３０５が送信する参照用設定値については後述する。
【００４８】
参照値取得部１０５は、取得した参照用設定値を設定部１０７に送信し、設定部１０７は、受け取った参照用設定値に基づきターゲットの表示装置１００に設定する表示パラメータの設定値を決定する。設定部１０７が、当該決定した表示パラメータの設定値を表示部１０３に設定することで、表示装置１００の仕様やコンテンツデータに応じた表示パラメータの設定値でコンテンツデータが表示される。この表示パラメータの設定値は、ターゲットの表示装置１００と仕様の類似している表示装置でこのコンテンツデータを表示した際に用いられた表示パラメータの設定値を参照して設定された値である。
【００４９】
従って、ターゲットの表示装置１００でこのコンテンツデータを表示するために最適な表示パラメータの設定値又はそれに近い表示パラメータの設定値になっている。よって、ユーザは、ターゲットの表示装置１００の表示パラメータの設定値を調整する必要がないか、又は調整する必要があったとしても、微調整するだけで適切な表示パラメータの設定値に調整することができ、調整の手間が大幅に軽減される。
【００５０】
次に、システムによって設定された表示パラメータの設定値をユーザが変更する場合の動作を説明する。ユーザは、図示しない操作部を操作することで調整部１０６に表示パラメータの設定値の変更の指示を入力する。要求に応じて変更された表示パラメータの設定値は、設定部１０７を通じて表示部１０３に設定される。表示部１０３は、変更された表示パラメータの設定値に基づきコンテンツデータの表示を行う。また、設定部１０７は、表示設定値情報送信部１０８に対して、変更後の表示パラメータの設定値の情報を送信する。表示設定値情報送信部１０８は受け取った変更後の表示パラメータの設定値の情報をコンテンツＩＤ、ディスプレイＩＤと共に受信部３０１に送信する。受信部３０１は、表示設定値情報送信部１０８から受け取った変更後の表示パラメータの設定値の情報を、コンテンツＩＤ、ディスプレイＩＤに関連付けて蓄積部３０２に蓄積する。同一コンテンツＩＤ、同一ディスプレイＩＤの表示設定値情報が既に蓄積部３０２に存在する場合は、変更後の表示設定値で更新される。
【００５１】
蓄積部３０２に蓄積される表示設定値情報の例を図２（Ｂ）に示す。図２（Ｂ）において、輝度５０１は、表示装置の輝度設定値である。色温度５０２は、表示装置の色温度設定値である。ガンマ５０３は、表示装置のガンマ設定値である。エンハンサ５０４は、エッジ強調の設定値である。記憶色補正５０５は、人間の記憶色に合わせた色調整機能の設定値である。ＦＲＣ５０６は、フレームレート変換の設定値である。黒挿入５０７は、動画応答性向上のための黒挿入機能の設定値である。ダイナミックガンマ５０８は、時間方向の統計値を利用した動的なガンマ設定機能の設定値である。なお、これらの表示設定値情報の項目は一例であり、表示設定値情報は、これら以外の項目の情報を含んでいても良いし、これらの項目のうち一部の項目についての情報であっても良い。
【００５２】
蓄積部３０２には、図３に示すように、上述した表示設定値情報の各項目の値が、コンテンツＩＤ、ディスプレイＩＤに対応づけられて管理される。また、蓄積部３０２には、ディスプレイＩＤと図２（Ａ）に示すようなディスプレイの仕様情報とを対応づけるデータが管理されている。
【００５３】
次に、図４のフローチャートを用いて管理部３０４の動作を詳細に説明する。管理部３０４は、ターゲット情報取得部３０３からディスプレイＩＤ、コンテンツＩＤ、及び表示装置１００の仕様情報を受け取る。受け取った管理部３０４は、当該コンテンツＩＤに対応するコンテンツデータ（ターゲットのコンテンツデータ）を過去に表示したことがある表示装置の表示設定値情報があるか蓄積部３０２に問い合わせる。
【００５４】
ターゲットのコンテンツデータを表示したことがある表示装置の表示設定値情報が蓄積
部３０２に蓄積されていない場合（Ｓ１００１：Ｎ）、管理部３０４は、参照用設定値を生成できないと判断する。そして、あらかじめ表示装置１００に設定されているデフォルトの設定値で表示するように表示装置１００に指示し、処理を終了する（Ｓ１０１５）。
【００５５】
ターゲットのコンテンツデータを表示したことがある表示装置の表示設定値情報が蓄積部３０２に蓄積されている場合（Ｓ１００１：Ｙ）、Ｓ１００２に進む。Ｓ１００２では、管理部３０４は、その表示装置のディスプレイＩＤがターゲットの表示装置１００のディスプレイＩＤと同じか確認する。
【００５６】
ディスプレイＩＤが同じである場合（Ｓ１００２：Ｙ）、コンテンツＩＤがターゲットのコンテンツデータのコンテンツＩＤと一致し、かつ、ディスプレイＩＤがターゲットの表示装置１００と一致する表示設定値情報が蓄積部３０２に存在する。この場合、管理部３０４は当該表示設定値情報における複数の表示パラメータの設定値を参照用設定値として参照値送信部３０５に送信する（Ｓ１００３）。
【００５７】
ディスプレイＩＤが同じでない場合（Ｓ１００２：Ｎ）、Ｓ１００４に進む。Ｓ１００４では、管理部３０４は、コンテンツＩＤがターゲットのコンテンツデータのコンテンツＩＤと一致し、かつ、表示装置の仕様のうちの型番がターゲットの表示装置１００の仕様のうちの型番と一致する表示設定値情報が蓄積部３０２に存在するか確認する。
【００５８】
ターゲットの表示装置１００と同じ型番の表示装置でターゲットのコンテンツデータを表示した際の表示設定値情報が蓄積部３０２に蓄積されている場合（Ｓ１００４：Ｙ）、Ｓ１００５に進む。Ｓ１００５では、管理部３０４は、当該表示設定値情報における複数の表示パラメータの設定値を参照用設定値として参照値送信部３０５に送信する。
【００５９】
ターゲットの表示装置１００と同じ型番の表示装置でターゲットのコンテンツデータを表示した際の表示設定値情報が蓄積部３０２に蓄積されていない場合（Ｓ１００４：Ｎ）、管理部３０４は、Ｓ１００６に進む。
【００６０】
ここで、管理部３０４は、図２（Ｂ）に示す８種類の表示パラメータを複数のグループに分ける。ここでは、図５に示すように、共通設定グループ、動画関連設定グループ、及び統計量補正関連設定グループの３つのグループに分ける。
【００６１】
共通設定グループに属する表示パラメータは、動画像表示及び静止画像表示に共に関連する表示パラメータであり、図５（Ａ）に示すように、輝度、色温度、ガンマ、エンハンサ、及び記憶色補正である。動画関連設定グループに属する表示パラメータは、動画像表示に関連する表示パラメータであり、図５（Ｂ）に示すように、ＦＲＣ及び黒挿入である。統計量補正関連設定グループに属する表示パラメータは、統計量補正に関連する表示パラメータであり、図５（Ｃ）に示すように、ダイナミックガンマである。
【００６２】
管理部３０４は、グループ毎に定められる判定基準に従って、蓄積部３０２に記憶されている各表示設定値情報に対応づけられた表示装置の仕様とターゲットの表示装置１００の仕様とを比較する。そして、グループ毎に、そのグループの判定基準でターゲットの表示装置１００と仕様が類似している類似表示装置を判定する。
【００６３】
共通設定グループについて定められる判定基準は、ターゲットの表示装置１００に対し、サイズの差が閾値以下、かつ解像度の差が閾値以下、かつ原色数が同一、かつパネルタイプが同一、かつ黒挿入の有無が同一で、黒挿入の有無が共に有であることである。ターゲットの表示装置１００の仕様情報との比較においてこの判定基準を満たす表示装置が、共通設定グループに関してターゲットの表示装置１００と仕様が類似している類似表示装
置と判定される。
【００６４】
動画関連設定グループについて定められる判定基準は、ターゲットの表示装置１００に対し、フレームレートの差が閾値以下、かつＦＲＣの有無が同一、かつ黒挿入の有無が同一で、ＦＲＣの有無が共に有、かつ黒挿入の有無がともに有であることである。ターゲットの表示装置１００の仕様情報との比較においてこの判定基準を満たす表示装置が、動画関連設定グループに関してターゲットの表示装置１００と仕様が類似している類似表示装置と判定される。
【００６５】
統計量補正関連設定グループについて定められる判定基準は、ターゲットの表示装置１００に対し、ディスプレイサイズの差が閾値以下、かつ解像度の差が閾値以下、かつフレームレートの差が閾値以下、かつＦＲＣの有無が同一、かつ黒挿入の有無が同一であり、ＦＲＣの有無が共に有、かつ黒挿入の有無が共に有であることである。ターゲットの表示装置１００の仕様情報との比較においてこの判定基準を満たす表示装置が、統計量補正関連設定グループに関してターゲットの表示装置１００と仕様が類似している類似表示装置と判定される。
【００６６】
管理部３０４は、複数のグループの各々について、そのグループに対応する類似表示装置のディスプレイＩＤと、ターゲットのコンテンツデータのコンテンツＩＤと、に対応づけられた表示設定値情報を蓄積部３０２から読み出す。そして、読み出した表示設定値情報から、そのグループに属する表示パラメータの設定値を抽出し、そのグループに属する表示パラメータの参照用設定値とする。管理部３０４は、各グループに属する表示パラメータの参照用設定値を組み合わせることにより、８種類の表示パラメータ全ての参照用設定値を生成する。
【００６７】
以下、フローチャートに沿って説明する。
管理部３０４は、コンテンツＩＤがターゲットのコンテンツデータと同一、かつ、ディスプレイＩＤが共通設定グループの判定基準で類似表示装置と判定される表示装置のディスプレイＩＤである表示設定値情報が蓄積部３０２に存在するか確認する（Ｓ１００６）。
【００６８】
存在する場合（Ｓ１００６：Ｙ）、管理部３０４は、当該表示設定値情報における表示パラメータの設定値のうち共通設定グループに属する表示パラメータの設定値を抽出し、共通設定グループに属する表示パラメータの参照用設定値とする（Ｓ１００７）。
【００６９】
存在ない場合（Ｓ１００６：Ｎ）、管理部３０４は、共通設定グループに属する表示パラメータには参照用設定値が無いことを示す予め定められた値を、共通設定グループに属する表示パラメータの参照用設定値とする（Ｓ１００８）。
【００７０】
次に、管理部３０４は、コンテンツＩＤがターゲットのコンテンツデータと同一、かつ、ディスプレイＩＤが動画関連設定グループの判定基準で判定される類似表示装置と同一の表示設定値情報が蓄積部３０２に存在するか確認する（Ｓ１００９）。
【００７１】
存在する場合（Ｓ１００９：Ｙ）、管理部３０４は、当該表示設定値情報における表示パラメータの設定値のうち動画関連設定グループに属する表示パラメータの設定値を抽出し、動画関連設定グループに属する表示パラメータの参照用設定値とする（Ｓ１０１０）。
存在しない場合（Ｓ１００９：Ｎ）、管理部３０４は、動画関連設定グループに属する表示パラメータには参照用設定値が無いことを示す予め定められた値を、動画関連設定グループに属する表示パラメータの参照用設定値とする（Ｓ１０１１）。
【００７２】
次に、管理部３０４は、コンテンツＩＤがターゲットのコンテンツデータと同一、かつ、ディスプレイＩＤが統計量補正関連設定グループの判定基準で判定される類似表示装置と同一の表示設定値情報が蓄積部３０２に存在するか確認する（Ｓ１０１２）。
【００７３】
存在する場合（Ｓ１０１２：Ｙ）、管理部３０４は、当該表示設定値情報における表示パラメータの設定値のうち統計量補正関連設定グループに属する表示パラメータの設定値を抽出する。そして、統計量補正関連設定グループに属する表示パラメータの参照用設定値とする（Ｓ１０１３）。
存在しない場合（Ｓ１０１２：Ｎ）、管理部３０４は、統計量補正関連設定グループに属する表示パラメータには参照用設定値が無いことを示す予め定められた値を、統計量補正関連設定グループに属する表示パラメータの参照用設定値とする（Ｓ１０１４）。
【００７４】
管理部３０４は、以上の処理で抽出した、共通設定グループに属する表示パラメータの参照用設定値、動画関連設定グループに属する表示パラメータの参照用設定値、及び統計量補正関連設定グループに属する表示パラメータの参照用設定値を組み合わせる。これにより、８種類の表示パラメータ全ての参照用設定値を生成する。生成した参照用設定値は、参照値送信部３０５に送られ、参照値送信部３０５により表示装置１００へ送信される。
【００７５】
参照値送信部３０５が送信する参照用設定値は、ターゲットの表示装置１００のディスプレイＩＤ、ターゲットのコンテンツデータのコンテンツＩＤ、及び各表示パラメータの設定値を含む。参照値送信部３０５が表示装置１００へ送信する参照用設定値の例を図６に示す。符号６０１は、共通設定グループに属する表示パラメータの参照用設定値を表し、符号６０２は、動画関連設定グループに属する表示パラメータの参照用設定値を表し、符号６０３は、統計量補正関連設定グループに属する表示パラメータの参照用設定値を表す。これらの組み合わせにより、８種類の表示パラメータ全ての参照用設定値が生成される。
【００７６】
表示装置１００の設定部１０７は、参照値送信部３０５から受け取った参照用設定値を参照して各表示パラメータの設定値を決定する。なお、「参照用設定値が無い」ことを示す値が格納されていた表示パラメータに関しては、設定部１０７は、あらかじめ決められたデフォルト値を設定する。
【００７７】
本実施例の表示システムでは、表示装置にコンテンツデータを入力すると、当該表示装置と仕様の類似する複数の他の表示装置が過去に当該コンテンツデータを表示した際の表示パラメータの設定値を参照用設定値としてサーバから取得する。そして、取得した参照用設定値を参照してターゲットの表示装置の表示パラメータの設定値が決定される。これにより、ターゲットの表示装置にターゲットのコンテンツデータを表示させる場合の表示パラメータの設定値として最適な値或いはそれに近い値が自動的に設定されることになる。従って、ユーザは、ターゲットのコンテンツデータが適切に表示されるようにターゲットの表示装置の表示パラメータを再調整する必要がなくなる。或いは、再調整する必要があっても微調整の範囲で済むため、ターゲットの表示装置の表示パラメータの調整にかかる手間を軽減することが可能となる。
【００７８】
（実施例２）
本発明の第２の実施例を説明する。本実施例は、ターゲットの表示装置でコンテンツデータを表示させる場合に、過去にそのコンテンツデータを表示したことがある表示装置の表示パラメータの設定値を参照してターゲットの表示装置の表示パラメータの設定値を決定する点で実施例１と同様である。本実施例の特徴点は、ターゲットの表示装置は、複数
組の参照用設定値を含む参照用設定値情報をサーバから取得し、コンテンツデータが動画像か静止画像かに応じて、いずれかの参照用設定値を選択する点である。
【００７９】
図７は、本発明の実施例２に係る表示システムの概略構成を示す図である。図７において、実施例１と同一の機能をもち、同一の動作をするブロックについては、図１と同一の符号を付し説明を省略する。表示装置７００は、実施例２におけるターゲットの表示装置である。
【００８０】
コンテンツＩＤ取得部７０１は、コンテンツ受信部１０１からのコンテンツデータの入力を受け、実施例１と同様にコンテンツＩＤを参照値要求部１０４及び表示設定値情報送信部１０８に出力し、コンテンツデータを表示部１０３へ出力する。実施例２においては、コンテンツＩＤ取得部７０１はさらにコンテンツデータを判定部７０２にも出力する。
【００８１】
判定部７０２は、コンテンツＩＤ取得部７０１から取得したコンテンツデータを解析し、動画像データか静止画像データかを判定し、判定結果を参照値選択部７０４に出力する。コンテンツデータが動画像データか静止画像データかを判定する手法については詳細な説明は省略する。動き量の計測を行う方法や、動画像データか静止画像データかの情報を画像信号の垂直ブランキング期間に情報を付加する方法がある。また、ＨＤＭＩのVendor
Specific InfoFrameに動画像データか静止画像データかの情報を付加する方法等がある
。
【００８２】
参照値取得部７０３は、参照値送信部８０２から送信される参照用設定値情報を受信し参照値選択部７０４に出力する。
【００８３】
参照値選択部７０４は、参照値取得部７０３から受け取る参照用設定値情報に含まれる参照用設定値のうちいずれか１つの参照用設定値を選択し、設定部１０７へ送信する。設定部１０７は、参照値選択部７０４が選択した参照用設定値に基づいて表示部１０３の複数の表示パラメータの設定値を決定する。参照値選択部７０４は、判定部７０２から受け取るコンテンツデータが動画像データか静止画像データかの判定結果に応じて、参照用設定値情報からどの参照用設定値を選択するかを決定する。参照値選択部７０４の動作については後述する。
【００８４】
管理サーバ８００は、実施例２における管理サーバである。管理部８０１は、実施例１と同様に、表示パラメータのグループの各々について、そのグループの判定基準でターゲットの表示装置７００と仕様が類似している類似表示装置を判定する。そして、少なくともいずれかのグループについて、そのグループに対応する類似表示装置のディスプレイＩＤと、ターゲットのコンテンツデータのコンテンツＩＤと、に対応づけられた表示設定値情報を蓄積部３０２から読み出す。読み出した表示設定値情報から、そのグループに属する表示パラメータの設定値を含む、前記複数の表示パラメータ全ての設定値を抽出し、当該複数の表示パラメータの参照用設定値とする。管理部８０１は、取得した全てのグループの参照用設定値を含む参照用設定値情報を生成する。参照値送信部８０２は、管理部８０１が生成した参照用設定値情報を参照値取得部７０３へ送信する。
【００８５】
管理部８０１は、共通設定グループの判定基準でターゲットの表示装置７００と仕様が類似している類似表示装置を判定する。そして、当該類似表示装置のディスプレイＩＤと、ターゲットのコンテンツデータのコンテンツＩＤと、に対応づけられた表示設定値情報を蓄積部３０２から読み出す。読み出した表示設定値情報から、共通設定グループに属する表示パラメータを含む前記８種類の表示パラメータ全ての設定値を抽出し、当該８種類の表示パラメータの参照用設定値とする。
【００８６】
また、管理部８０１は、動画関連設定グループの判定基準でターゲットの表示装置７００と仕様が類似している類似表示装置を判定する。そして、当該類似表示装置のディスプレイＩＤと、ターゲットのコンテンツデータのコンテンツＩＤと、に対応づけられた表示設定値情報を蓄積部３０２から読み出す。読み出した表示設定値情報から、動画関連設定グループに属する表示パラメータを含む前記８種類の表示パラメータ全ての設定値を抽出し、当該８種類の表示パラメータの参照用設定値とする。
【００８７】
管理部８０１は、共通設定グループの判定基準で判定された類似表示装置の表示設定値情報に基づく参照用設定値と、動画関連設定グループの判定基準で判定された類似表示装置の表示設定値情報に基づく参照用設定値と、の両方を含む参照用設定値情報を生成する。参照用設定値情報の例を図８に示す。
【００８８】
図８の符号９０１は、共通設定グループの判定基準で判定された類似表示装置の表示設定値情報に基づく参照用設定値を示す。この参照設定値は、共通設定グループに属する表示パラメータの設定値のみならず、８種類全ての表示パラメータの設定値を含む。図８の符号９０２は、動画関連設定グループの判定基準で判定された類似表示装置の表示設定値情報に基づく参照用設定値を示す。この参照用設定値は、動画関連設定グループに属する表示パラメータの設定値のみ成らず、８種類全ての表示パラメータの設定値を含む。この点が実施例１と異なる。本実施例で送信される参照用設定値情報には、図８に示すように、グループの識別情報と、そのグループに関して取得された参照用設定値と、が含まれる。
【００８９】
次に、参照値選択部７０４の動作を詳細に説明する。参照値選択部７０４は、判定部７０２からターゲットのコンテンツデータが動画像データか静止画像データかの判定結果の情報を受け取り、参照値取得部７０３から図８のような参照用設定値情報を受け取る。
【００９０】
参照値選択部７０４は、ターゲットのコンテンツデータが動画像データの場合、参照用設定値情報から、動画関連設定グループの判定基準で判定された類似表示装置の表示設定値情報に基づく参照用設定値（図８の符号９０２）を選択する。そして、それを設定部１０７に送信する。また、参照値選択部７０４は、ターゲットのコンテンツデータが静止画像データの場合、参照用設定値情報から、共通設定グループの判定基準で判定された類似表示装置の表示設定値情報に基づく参照用設定値（図８の符号９０１）を選択し、設定部１０７に送信する。
【００９１】
これにより、コンテンツデータが動画像データか静止画像データかに応じて、共通設定グループ又は動画関連設定グループのどちらかの判定基準で判定された類似表示装置の表示設定値情報に基づく参照用設定値が選択される。そして、選択された参照用設定値を参照してターゲットの表示装置７００の表示パラメータの設定値が決定される。
【００９２】
動画関連設定グループの判定基準で判定された類似表示装置は、ターゲットの表示装置と、動画像の表示に関わる仕様が類似している。そのため、動画関連設定グループの判定基準で判定された類似表示装置の表示設定値情報に含まれる表示パラメータの設定値は、ターゲットの表示装置で好適な動画像表示を得るための表示パラメータの設定値と同一又は類似する可能性が高い。動画関連設定グループの判定基準で判定された類似表示装置の表示設定値情報に含まれる表示パラメータの設定値を参照してターゲットの表示装置の表示パラメータの設定値を決定することにより、ターゲットの表示装置において好適な動画像表示を得ることができる。
【００９３】
共通設定グループの判定基準で判定された類似表示装置は、ターゲットの表示装置と、動画像及び静止画像に関わる仕様が類似している。そのため、共通設定グループの判定基
準で判定された類似表示装置の表示設定値情報に含まれる表示パラメータの設定値は、ターゲットの表示装置で好適な静止画像表示を得るための表示パラメータの設定値と同一又は類似する可能性が高い。共通設定グループの判定基準で判定された類似表示装置の表示設定値情報に含まれる表示パラメータの設定値を参照してターゲットの表示装置の表示パラメータの設定値を決定することにより、ターゲットの表示装置において好適な静止画像表示を得ることができる。
【００９４】
本実施例の表示システムにより、共通設定グループと動画関連設定グループのどちらか一方のグループに属する表示パラメータの設定値は、過去にターゲットのコンテンツデータを表示した類似表示装置の表示パラメータの設定値に基づく最適値に決定される。他方のグループに属する表示パラメータの設定値も、同じ類似表示装置が当該コンテンツデータを表示した際の表示パラメータの設定値を参照して決定される。よって、一方のグループに属する表示パラメータの設定値との整合がつかずに表示画質が低下する問題を回避できる。なお、本実施例では、参照用設定値情報に統計量補正関連設定グループの判定基準で判定された類似表示装置の表示設定値情報に基づく参照用設定値を含めない例を説明したが、含めても良い。
【００９５】
（実施例３）
図９は、本発明の実施例３に係る表示システムの概略構成を示す図である。実施例３は、コンテンツデータに付加された表示設定値情報から、表示装置自身が参照用設定値を抽出することを特徴とする。
【００９６】
図９において、実施例１と同一の機能をもち、同一の動作をするブロックについては、図１と同一の符号を付し説明を省略する。図９において、表示装置１１００は、管理サーバ１２００から入力されるコンテンツデータに付加された表示設定値情報から参照用設定値を抽出し、抽出した参照用設定値に基づいて表示パラメータの設定値を決定して表示を行う。管理サーバ１２００は、コンテンツデータの管理・送信を行うと共に、表示装置１１００から受信した表示設定値情報をコンテンツデータに付加する機能を持つ。
【００９７】
なお、実施例１では管理サーバ２００と表示装置１００との間のインタフェースをＨＤＭＩとしたが、本実施例では表示設定値情報をコンテンツデータに付加するため、データ量が多くなる。そのため、本実施例では管理サーバ１２００と表示装置１１００の間のインタフェースをネットワークとし、コンテンツデータを圧縮した形で送受信する例を説明する。コンテンツデータの圧縮の手法については詳細な説明を省略する。映像信号の圧縮手法については任意でよく、映像信号と音声信号や各種制御信号を多重する手法についても、表示設定値情報（複数の表示装置の仕様情報と表示パラメータの設定値）を画像データに付加できる手法であれば特に限らない。本実施例では、表示設定値情報を画像データに付加する手法として、広く映像・音声・制御情報の多重手法として用いられているＭＰＥＧ２−ＴＳ（Moving Picture Experts Group 2-Transport Stream）を用いる。管理サ
ーバ２００には複数の表示装置１１００が接続される。なお、管理サーバ１２００と表示装置１１００とは一体構成としても良い。
【００９８】
管理サーバ１２００のコンテンツ蓄積部２０１は、コンテンツデータに表示設定値情報を付加して記憶する。表示設定値情報は、過去にそのコンテンツデータを表示した表示装置のディスプレイＩＤと、当該表示装置の仕様の情報と、当該表示装置で当該コンテンツデータを表示した際の表示パラメータの設定値の情報と、を対応づけた情報である。
【００９９】
コンテンツ蓄積部２０１に記憶されたコンテンツデータは、管理サーバ１２００のコンテンツ送信部２０２から表示装置１１００のコンテンツ受信部１１０２へ送信される。この送信は、サーバネットワーク送信部１２０１及び表示装置ネットワーク受信部１１０１
を介して行われる。
【０１００】
表示装置ネットワーク受信部１１０１は、管理サーバ１２００のサーバネットワーク送信部１２０１から送信されるコンテンツデータを受信する。コンテンツ受信部１１０２は、表示装置ネットワーク受信部１１０１が受信したコンテンツデータを受け取り、コンテンツ復号部１１０３に出力する。
【０１０１】
コンテンツ復号部１１０３は、多重されたコンテンツデータの分離、圧縮されたコンテンツデータの復号を行い、表示部１０３に出力する。また、コンテンツ復号部１１０３は、コンテンツデータに付加されている表示設定値情報を抽出し、決定部１１０５に出力する。コンテンツデータには、当該コンテンツデータを過去に表示したことがある表示装置の仕様情報と、表示装置で前記コンテンツデータを表示した際の表示パラメータの設定値の情報と、が表示設定値情報として付加されている。コンテンツデータに付加される表示装置の仕様情報及び表示パラメータの設定値の詳細については後述する。
【０１０２】
決定部１１０５は、コンテンツ復号部１１０３から受け取った表示設定値情報から、設定部１０７が各表示パラメータの設定値を決定する際に参照するための参照用設定値を生成し、設定部１０７に出力する。ユーザは調整部１０６を介して、設定部１０７が決定した表示パラメータの設定値を変更する指示を入力することができる。
【０１０３】
表示設定値情報送信部１０８は受信部１２０３へ、表示したコンテンツデータのコンテンツＩＤと、自表示装置のディスプレイＩＤと、設定部１０７により決定された複数の表示パラメータの設定値の情報と、を表示設定値情報として送信する。送信は、表示装置ネットワーク送信部１１０６及びサーバネットワーク受信部１２０２を介して行われる。特に、表示設定値情報送信部１０８は、設定部１０７が決定した表示パラメータの設定値がユーザにより変更された場合、変更後の表示パラメータの設定値を含む表示設定値情報を受信部１２０３へ送信する。
【０１０４】
サーバネットワーク送信部１２０１は、コンテンツ送信部２０２からのコンテンツデータの入力を受け、表示装置１１００の表示装置ネットワーク受信部１１０１にコンテンツデータを出力する。サーバネットワーク受信部１２０２は、表示装置１１００の表示装置ネットワーク送信部１１０６からの表示設定値情報（表示パラメータの設定値、ディスプレイＩＤ、コンテンツＩＤ）を受信し、受信部１２０３に出力する。受信部１２０３は、表示装置１１００から表示設定値情報を受信し、変更後の表示パラメータの設定値、ディスプレイＩＤ、及びコンテンツＩＤをコンテンツ編集部１２０４に出力する。
【０１０５】
コンテンツ編集部１２０４は、受信部１２０３から受信したコンテンツＩＤに対応するコンテンツデータをコンテンツ蓄積部２０１から読み出す。そして、受信部１２０３から受信したディスプレイＩＤ及び表示パラメータの設定値を付加する編集を行い、保存する。コンテンツ編集部１２０４は、コンテンツデータに付加された表示設定値情報に、ディスプレイＩＤが受信部１２０３から受信したディスプレイＩＤと一致するものが無い場合、受信部１２０３から受信した表示設定値情報をコンテンツデータに追加して付加する。コンテンツ編集部１２０４は、コンテンツデータに付加された表示設定値情報のうちに、ディスプレイＩＤが受信部１２０３から受信したディスプレイＩＤと一致するものが有る場合、当該表示設定値情報を更新する。すなわち、受信部１２０３から受信した表示パラメータの設定値によって表示設定値情報を更新する。コンテンツ編集部１２０４によるコンテンツデータの編集について詳細に説明する。
【０１０６】
本実施例では、コンテンツ蓄積部２０１に蓄積されたコンテンツデータはＭＰＥＧ−ＴＳで多重されているものとしている。ＭＰＥＧ２−ＴＳには、自由に付加情報を定義でき
るprivate_sectionが定義されており、このprivate_sectionによって表示パラメータの設定値、ディスプレイＩＤ、表示装置の仕様情報をコンテンツデータに付加することができる。
【０１０７】
図１０にprivate_sectionの例を示す。private_section １３００は、section名をDisplay_setting_sectionとする。規格上決められたパラメータ１３０１の後に、ディスプレ
イＩＤ及び表示装置の仕様情報１３０２、表示パラメータの設定値１３０３を記載する。Display_setting_sectionを、このコンテンツデータを表示したことがある表示装置の分
だけ作成する。これにより、過去にこのコンテンツデータを表示したことのある全ての表示装置のディスプレイＩＤ、仕様情報、及び表示パラメータの設定値の情報をコンテンツデータに多重することができる。
【０１０８】
次に決定部１１０５の動作を説明する。決定部１１０５の動作は、図４に示す実施例１のシステムの動作と以下の点で異なる。１点目は、このフローチャートの処理は、表示装置１１００の決定部１１０５が実行することである。決定部１１０５は、コンテンツ復号部１１０３から入力される表示設定値情報（ディスプレイＩＤ、表示装置の仕様情報、表示パラメータの設定値）に基づき、処理を開始する。
【０１０９】
実施例１では、管理サーバ２００の管理部３０４がターゲットの表示装置１００からターゲットのコンテンツデータのコンテンツＩＤ、ターゲットの表示装置１００のディスプレイＩＤ及び仕様情報を受け取り、処理が開始する。ターゲットのコンテンツデータを過去に表示したことのある表示装置のディスプレイＩＤ、仕様情報、及び表示パラメータの設定値は蓄積部３０２に蓄積されている。管理サーバ２００の管理部３０４は、ターゲットの表示装置１００から受け取ったコンテンツＩＤ、ディスプレイＩＤ、及び仕様情報に基づき、蓄積部３０２に蓄積された表示設定値情報を検索する。
【０１１０】
一方、本実施例では、ターゲットの表示装置７００の決定部１１０５がコンテンツ復号部１１０３からターゲットのコンテンツデータを過去に表示したことのある表示装置のディスプレイＩＤ、仕様情報、及び表示パラメータの設定値を受け取り、処理が開始する。ターゲットの表示装置７００の決定部１１０５は、自身のディスプレイＩＤ及び仕様情報に基づき、コンテンツ復号部１１０３から入力される表示設定値情報を検索する。
【０１１１】
決定部１１０５は、複数の表示パラメータを複数のグループに分ける。表示パラメータの種類及びグループは実施例１と同様である。決定部１１０５は、グループ毎に定められる判定基準に従って、コンテンツデータに付加された表示設定値情報に対応付けられた表示装置の仕様と自表示装置の仕様とを比較する。そして、グループ毎に、そのグループの判定基準で自表示装置と仕様が類似している類似表示装置を判定する。グループの判定基準も実施例１と同様である。
【０１１２】
決定部１１０５は、複数のグループの各々について、コンテンツデータに付加された表示設定値情報のうちそのグループに対応する類似表示装置のディスプレイＩＤに対応づけられた表示設定値情報を抽出する。そして、その表示設定値情報から、そのグループに属する表示パラメータの設定値を抽出し、そのグループに属する表示パラメータの参照用設定値とする。決定部１１０５は、各グループに属する表示パラメータの参照用設定値を組み合わせることにより、８種類の表示パラメータ全ての参照用設定値を生成し、設定部１０７へ渡す。
【０１１３】
２点目は、Ｓ１００１（コンテンツＩＤがターゲットのコンテンツデータのコンテンツＩＤと一致する表示設定値情報が蓄積部３０２に存在するか確認するための処理）と、Ｓ１０１５（当該表示設定情報が無かった場合の処理）が不要の点である。但し、コンテン
ツデータのprivate_sectionに１つも表示設定値情報が多重されていない場合は、Ｓ１０
０１で否定判定される場合に相当するとして、Ｓ１０１５の処理を実行するようにしてもよい。ここでは、どのコンテンツデータにもDisplay_setting_sectionが１つ以上多重さ
れているものとする。
【０１１４】
Ｓ１００２以降の処理は、全てコンテンツ復号部１１０３から入力される表示設定値情報に基づいて決定部１１０５が行う。例えば、Ｓ１００２は、コンテンツデータに付加された表示設定値情報のうちに、ディスプレイＩＤが自身のディスプレイＩＤと同一のものがあるか否かを確認する処理になる。また、Ｓ１００４は、コンテンツデータに多重された表示設定値情報のうちに、型番が自身の型番と同一のものがあるか否かを確認する処理になる。
【０１１５】
このように、本実施例では表示設定値情報をすべてコンテンツデータに多重するので、管理サーバ１２００は、実施例１の蓄積部３０２、ターゲット情報取得部３０３、管理部３０４、参照値送信部３０５が不要となる。
【符号の説明】
【０１１６】
１００：表示装置、１０３：表示部、１０７：設定部、１０４：参照値要求部、１０５：参照値取得部、２００：管理サーバ、３０２：蓄積部、３０３：ターゲット情報取得部、３０４：管理部、３０５：参照値送信部
【図１】
2012220671.tif 000003
【図２】
2012220671.tif 000004
【図３】
2012220671.tif 000005
【図４】
2012220671.tif 000006
【図５】
2012220671.tif 000007
【図６】
2012220671.tif 000008
【図７】
2012220671.tif 000009
【図８】
2012220671.tif 000010
【図９】
2012220671.tif 000011
【図１０】
2012220671.tif 000012